(57)【特許請求の範囲】
【請求項１】
床下収納庫本体の開口部において開閉回動される蓋をその開き始めにおいて一定高さにまで持ち上げ回動させる強制駆動持ち上げ手段と、この強制駆動持ち上げ手段を駆動させる駆動電池とを床下収納庫本体内部に収納し、駆動電池により強制駆動持ち上げ手段を駆動させるための操作スイッチ部を床下収納庫の外部に設けてなる床下収納庫の蓋の開き装置において、駆動電池の一部を強制駆動持ち上げ手段を駆動できる補助電池として用い、この補助電池を床下収納庫の外部に設けてなることを特徴とする床下収納庫の蓋の開き装置。
【請求項２】
床下収納庫本体内部の駆動電池を優先的に用いて強制駆動持ち上げ手段を駆動させるとともに、操作スイッチ部に補助電池を収納し、操作スイッチ部の操作によって補助電池による強制駆動持ち上げ手段の駆動を可能にしてなることを特徴とする請求項１記載の床下収納庫の蓋の開き装置。
【発明の詳細な説明】
【０００１】
【発明の属する技術分野】
本発明は、主として畳を開閉用の蓋とする床下収納庫の蓋の開き装置に関し、特に重い蓋を開くのに、その開き始めの操作を楽に行える床下収納庫の蓋の開き装置に関する。
【０００２】
【従来の技術】
従来、床下収納庫本体１の開口部において蓋板２ｂ上に畳２ａを固着して蓋２となし、この蓋２を開閉する和風の床下収納庫が提案されているが、このようなものにおいては、その畳２ａを蓋２として開くのに、開き始めに多大な労力を要するという問題がある。
【０００３】
このような問題を解消するものとして、図５に示すような特公平６−３０９５号公報に記載された床下収納庫の蓋の開き装置が提案されている。
【０００４】
この床下収納庫の蓋の開き装置は、床下収納庫本体１の開口部において開閉回動される蓋２をその開き始めにおいて一定高さにまで持ち上げ回動させる強制駆動持ち上げ手段３を設けている。この強制駆動持ち上げ手段３として、駆動電池により駆動されるモーターの回転運動を駆動変換部によって蓋２の開閉側の下面下方に立設状態に保持された押棒の上方向への直線的移動運動に変換したものが用いられている。このモーターを回転させるための操作スイッチは室内の適所に設けられている。また、蓋２の短手方向一端において蓋２側に取り付けた支持体１４１４と床下収納庫本体１側に取り付けた支持ボックス１５１５間にわたってリンク１１をその両端を回動自在に枢支連結して架設してあり、リンク１１によって蓋２の短手方向一端を回動中心として蓋２を開閉自在に保持している。
【０００５】
このような床下収納庫の蓋の開き装置では、操作スイッチを投入してモーターを回転させることにより押棒が蓋２を一定位置まで押し上げる。その後は持ち上げられた蓋２下方の隙間に手を入れて蓋２を全開状態まで持ち上げて開成する。
【０００６】
このような床下収納庫の蓋の開き装置では、重い蓋２をその開き始めにおいて楽に行うことができながら、物品の収納取り出しが楽に行うことができ、蓋２の閉成も容易に行うことができる。
【０００７】
【発明が解決しようとする課題】
しかしながら、上記従来の床下収納庫の蓋の開き装置では、強制駆動持ち上げ手段３のモーターの駆動電池として適時交換して用いる乾電池を用い、この乾電池を床下収納庫本体１内部に配設しているため、蓋２が閉じた状態で乾電池が電池切れを起こした場合、強制駆動持ち上げ手段３を動作できず、乾電池交換のために手などで閉じた状態の重い蓋２を持ち上げて行わなければならず、容易に乾電池を交換できないという問題がある。
【０００８】
本発明は、上記事由に鑑みてなしたもので、その目的とするところは、強制駆動持ち上げ手段の駆動電池が切れたときでも、強制駆動持ち上げ手段を動作させて蓋を持ち上げ、容易に駆動電池を交換できる床下収納庫の蓋の開き装置を提供することにある。
【０００９】
【課題を解決するための手段】
上記目的を達成するために、請求項１記載の発明は、床下収納庫本体１の開口部において開閉回動される蓋２をその開き始めにおいて一定高さにまで持ち上げ回動させる強制駆動持ち上げ手段３と、この強制駆動持ち上げ手段３を駆動させる駆動電池４とを床下収納庫本体１内部に収納し、駆動電池４により強制駆動持ち上げ手段３を駆動させるための操作スイッチ部５を床下収納庫の外部に設けてなる床下収納庫の蓋の開き装置において、駆動電池４の一部を強制駆動持ち上げ手段３を駆動できる補助電池６として用い、この補助電池６を床下収納庫の外部に設けてなることを特徴として構成している。
【００１０】
このような床下収納庫の蓋の開き装置では、駆動電池４又は補助電池６が電池切れを起こし、強制駆動持ち上げ手段３による床下収納庫の蓋２の持ち上げができないときに、電池切れでない補助電池６を用いて強制駆動持ち上げ手段３を動作させることにより蓋２を持ち上げ、電池切れの駆動電池４を新しいものと取り替える。
【００１１】
また、請求項２記載の発明は、請求項１記載の発明において、床下収納庫本体１内部の駆動電池４を優先的に用いて強制駆動持ち上げ手段３を駆動させるとともに、操作スイッチ部５に補助電池６を収納し、操作スイッチ部５の操作によって補助電池６による強制駆動持ち上げ手段３の駆動を可能にしてなることを特徴として構成している。
【００１２】
このような床下収納庫の蓋の開き装置では、通常は床下収納庫本体１内部の駆動電池４を優先的に用いて強制駆動持ち上げ手段３の動作を行い、駆動電池４の電池切れで蓋２を持ち上げできないときは、操作スイッチ部５の操作を行うことによって操作スイッチ部５に収納された補助電池６による強制駆動持ち上げ手段３の駆動を可能にして蓋２を持ち上げ、電池切れの駆動電池４を新しいものと取り替える。
【００１３】
【発明の実施の形態】
以下、本発明の実施形態の床下収納庫の蓋の開き装置を図１乃至図４に基づいて説明する。
【００１４】
図１は、本発明の実施形態の床下収納庫の蓋の開き装置を示し、（ａ）は概略説明図であり、（ｂ）は回路図である。また、図２は、同上の床下収納庫の蓋の開き装置を有する床下収納庫を示す一部破断視した側面図である。また、図３は、同上の床下収納庫の蓋の開き装置の回路図である。また、図４は、同上の床下収納庫の蓋の開き装置の縦断面図である。
【００１５】
図１乃至図４に示すように、床下収納庫の蓋の開き装置は、床下収納庫本体１の開口部において開閉回動される蓋２をその開き始めにおいて一定高さにまで持ち上げ回動させる強制駆動持ち上げ手段３と、この強制駆動持ち上げ手段３を駆動させる駆動電池４とを床下収納庫本体１内部に収納し、駆動電池４により強制駆動持ち上げ手段３を駆動させるための操作スイッチ部５を床下収納庫の外部に設けている。また、、駆動電池４の一部を強制駆動持ち上げ手段３を駆動できる補助電池６として用い、この補助電池６を操作スイッチ部５に収納している。そして、床下収納庫本体１内部の駆動電池４を優先的に用いて強制駆動持ち上げ手段３を駆動させておき、操作スイッチ部５の操作によって補助電池６による強制駆動持ち上げ手段３の駆動を可能にしている。
【００１６】
床下収納庫本体１の畳２ａ一枚分の開口面積を有する開口部で回動開閉される蓋板２ｂの回動中心側の端部において、蓋板２ｂ側に取り付けた支持体１４と床下収納庫本体１側に取り付けた支持ボックス１５間にわたってリンク１１をその両端を回動自在に枢支連結して架設してある。蓋板２ｂの上面には畳２ａが固着され蓋板２ｂと一体となって蓋２を形成している。そして、リンク１１によって蓋２の短手方向一端を回動中心として蓋２を開閉自在に保持している。
【００１７】
支持ボックス１５内のリンク１１よりも蓋２開閉側にガススプリングの固定筒部の一端が枢着され、対応する蓋２下面にガススプリングの移動棒部の先端が枢着されている。（図示せず）
【００１８】
強制駆動持ち上げ手段３は略長方形箱状の駆動ボックス２７内に収納されており、駆動ボックス２７長手方向を垂直にして一側外側面が床下収納庫本体１における蓋板２ｂ開閉側の内側面の略中央に上端が床下収納庫本体１上端に合わせて固着され配設されている。駆動ボックス２７内の取付板２２に直流のモーター１０及び電池ボックスを固着し、電池ボックス内に収納される４個の単一乾電池を駆動電池４として用い、この乾電池によりモーター１０を駆動させることができるようにしてある。そして、その操作スイッチ７は室内の適所に配設した操作スイッチ部５内に操作自在に収納してある。モーター１０のピニオンギアには減速ギア群を介して駆動ボックス２７内の取付板２２上下部に併設された両回転円盤２１の一方の回転円盤２１の回転軸に軸着されている。両回転円盤２１は同一面上に回転面を有して回転自在に取付板２２に軸着されている。両回転円盤２１の外周面にギア部が設けてあり、両回転円盤２１の両ギア部にわたってチェーン２３が架設されている。チェーン２３には押上げ片２４を取り付けてあり、チェーン２３の回動により押上げ片２４を駆動移動させることができるようにしてある。取付板２２に鉛直方向にチェーン側面に開口を有する筒状ガイドが取り付けてあり、押棒２０を出退自在に挿通してある。押棒２０は押上げ片２４上に載置されて上端が蓋２の下面に当接した状態に保持されている。
【００１９】
そして、モーター１０の作動によりチェーン２３を回動させて押上げ片２４を駆動させて、この押上げ片２４によって押棒２０の下端を押し上げ、押棒２０を筒状ガイド上端開口から突出させて、蓋２を床面１２レベルよりも一定高さにまで持ち上げることができるようにしてある。このようにして蓋２の持ち上げが完了したときにモーター１０への通電が停止するようにしてあるとともに、蓋２の重量を減速ギア群により受けて蓋２が降りようとするのを阻止し、蓋２の持ち上げ状態を維持できるようにしてある。
【００２０】
押棒２０の上端には重量検知部２８が形成してあり、蓋２の重量を検知して押棒２０下端部の側面より小片２５を進退自在に形成し、突出移動した小片は筒状ガイド側面開口より側方へ突出するようになっている。そして、重量検知部２８に蓋２が載置されているときに重量検知部２８の作用により小片２５が押棒２０内部に引っ込み、重量検知部２８から蓋２を持ち上げると重量検知部２８の作用により小片２５が押棒２０下端部の側面及び筒状ガイド側面開口から突出して維持されるようになっている。この小片２５の近傍に蓋荷重検知スイッチ９が配設してあり、小片２５の突出移動により蓋荷重検知スイッチ９の投入を行う。
【００２１】
取付板２２のチェーン２３下端部近傍に動作スイッチ８が配設され、押上げ片２４により動作スイッチ８の投入ができるようになっている。チェーン２３の回動により回動する押上げ片２４が動作スイッチ８近傍に位置したときに動作スイッチ８を投入し、押上げ片２４が回動移動したときに動作スイッチ８が元にもどる。
【００２２】
操作スイッチ部５は、室内適所の例えば壁などに固定され、補助電池６が収納される補助電池６ボックスが内設されている。操作スイッチ部５にはモータに接続される接続コード先端の電気プラグ３０が挿入して電気接続される接続コネクタ３１が設けられている。補助電池６としては駆動電池４と同様に単一乾電池４個が用いられる。
【００２３】
なお、操作スイッチ７、動作スイッチ８及び蓋荷重検知スイッチ９はいずれも押し操作方式のリミットスイッチであり、押し続けることによってスイッチ投入を行うものである。操作スイッチ７は通常ＯＦＦ状態であり、動作スイッチ８及び蓋荷重検知スイッチ９は通常ＯＮ状態である。そして、いずれもスイッチ投入時にスイッチ状態が反転する。
【００２４】
モーター１０の駆動回路として例えば、駆動電池４の正端子がモーター１０の正端子に電気接続され、モーター１０の負端子が電気プラグ３０及び電気プラグ３０が装着された接続コネクタ３１を経由して補助電池６の負端子と電気接続されているとともに、並列して動作スイッチ８の一側端子と接続されている。補助電池６の正端子は操作スイッチ７の一側端子と接続されている。動作スイッチ８の他端子はダイオード３２のカソードに接続されている。操作スイッチ７の他端子は接続コネクタ３１及び電気プラグ３０を経由してダイオード３２のアノードと一体に接続され、蓋荷重検知スイッチ９の一側端子と接続されている。そして、蓋荷重検知スイッチ９の他端子が駆動電池４の負端子と接続されている。なお、駆動電池４及び補助電池６の正側に逆流防止用のダイオード３２が介設されている。
【００２５】
このような床下収納庫の蓋の開き装置において、通常の動作を図３及び図４を用いて説明する。
【００２６】
まず、蓋２の閉止状態では、図３（ａ）及び図４（ａ）に示すように、操作スイッチ７がＯＦＦ、動作スイッチ８が押上げ片２４に押されてＯＦＦ、蓋荷重検知スイッチ９がＯＮの各状態を維持している。また、重量検知部２８上端に載置された蓋２の荷重を検知して小片２５が押棒２０側面より突出している。次に、操作スイッチ７を押して２、３秒ＯＮさせると、図３（ｂ）に示すように、駆動電池４及び補助電池６の直列接続によりモーター１０が通電して回転し、チェーン２３が回転する。そして、図３（ｃ）及び図４（ｂ）に示すように、押上げ片２４が回転して押棒２０を持ち上げるとともに、動作スイッチ８から外れて動作スイッチ８がＯＮする。このとき、操作スイッチ７を離しても動作スイッチ８がＯＮ状態を維持し、駆動電池４によりモーター１０が回転状態を維持し、押棒２０がゆっくり蓋２を押し上げていく。さらに、図３（ｄ）及び図４（ｃ）に示すように、押上げ片２４がチェーン２３の状端部に位置したときに、押上げ片２４が蓋荷重検知スイッチ９を押してＯＦＦし、モーター１０への通電が停止してモーター１０の回転が停止する。このとき、蓋２は減速ギア群により所定の高さで持ち上げ状態を維持される。そして、蓋２の開閉側下面と床面１２との間の隙間に手などを差し入れて蓋２を完全開放状態にまで持ち上げる。このとき、図３（ｅ）及び図４（ｄ）に示すように、重量検知部２８への荷重がなくなることを検知した重量検知部２８の作用により、蓋荷重検知スイッチ９を押していた小片２５が押棒２０内部に引き込まれて蓋荷重検知スイッチ９がＯＮする。そして、蓋荷重検知スイッチ９がＯＮ動作により駆動電池４のモーター１０への通電が再開し、押上げ片２４が上部回転円盤２１周囲を回転して下降することにより押棒２０の支えがなくなり押棒２０は筒状ガイド内を自然落下する。この状態で床下収納庫本体１内での収納物の収納又は取り出しを行う。
【００２７】
次に、駆動電池４が電池切れを起こしたときの動作を説明する。
【００２８】
駆動電池４が電池切れを起こすと、図３（ｃ）の接続状態において、モーター１０が動作できなくなる。この状態で操作スイッチ７を押してＯＮさせ、補助電池６によりモーター１０を駆動して蓋２が所定位置まで持ち上がる。そして、操作スイッチ７の押し動作を停止させ、蓋２を手で完全開放し、駆動電池４を新しいものと取り替える。電池取り替え後は駆動電池４が優先的に用いられる通常動作により蓋２の持ち上げ動作を行う。
【００２９】
このような床下収納庫の蓋の開き装置では、強制駆動持ち上げ手段３の駆動電池４が切れたときでも、強制駆動持ち上げ手段３を動作させて蓋２を持ち上げ、容易に駆動電池４を交換することができる。
【００３０】
なお、同上の床下収納庫の蓋の開き装置では、操作ボックスに設けた補助電池６ボックスに常時補助電池６を収納し、補助電池６を駆動電池４の電池切れ時の補助用として用いているが、通常は補助電池６ボックスに補助電池６を収納せず、また、補助電池６ボックスを設けていなくても、補助電池６を接続してモーター１０が駆動できる補助電池６用端子を操作スイッチ部５に設けておけば前記所望の動作を行うことができる。例えば、通常時にはこの補助電池６用端子を短絡しておき、駆動電池４で動作させる。そして、駆動電池４の電池切れ時には、補助電池６用端子の短絡を取り除き、補助電池６用端子間に補助電池６を電気接続状態に介挿してモータを駆動させることにより行う。
【００３１】
【発明の効果】
請求項１記載の発明では、駆動電池又は補助電池が電池切れを起こし、強制駆動持ち上げ手段による床下収納庫の蓋の持ち上げができないときに、電池切れでない補助電池を用いて強制駆動持ち上げ手段を動作させることにより蓋を持ち上げ、電池切れの駆動電池を新しいものと取り替えることができ、安心して使用することができる。
【００３２】
また、請求項２記載の発明では、通常は床下収納庫本体内部の駆動電池を優先的に用いて強制駆動持ち上げ手段の動作を行い、駆動電池の電池切れで蓋を持ち上げできないときは、操作スイッチ部５の操作を行うことによって操作スイッチ部に収納された補助電池による強制駆動持ち上げ手段の駆動を可能にして蓋を持ち上げ、電池切れの駆動電池を新しいものと取り替えることができ、安心して使用することができる。
【図面の簡単な説明】
【図１】本発明の実施形態の床下収納庫の蓋の開き装置を示し、（ａ）は概略説明図であり、（ｂ）は回路図である。
【図２】同上の床下収納庫の蓋の開き装置を有する床下収納庫を示す一部破断視した側面図である。
【図３】同上の床下収納庫の蓋の開き装置の回路図である。
【図４】同上の床下収納庫の蓋の開き装置の縦断面図である。
【図５】従来の床下収納庫の蓋の開き装置の側面図である。
【符号の説明】
１    床下収納庫本体
２    蓋
２ａ    畳
２ｂ    蓋板
３    強制駆動持ち上げ手段
４    駆動電池
５    操作スイッチ７部
６    補助電池
７    操作スイッチ
８    動作スイッチ
９    蓋荷重検知スイッチ
１０    モーター
１１    リンク
１２    床面
１３    床下スラブ
１４    支持体
１５    支持ボックス
２０    押棒
２１    回転円盤
２２    取付板
２３    チェーン
２４    押上げ片
２５    小片
２６    押棒貫通孔
２７    駆動ボックス
２８    重量検知部
３０    電気プラグ
３１    接続コネクタ
３２    ダイオード
【図１】
0003572918.tif 000002
【図２】
0003572918.tif 000003
【図３】
0003572918.tif 000004
【図４】
0003572918.tif 000005
【図５】
0003572918.tif 000006